【手続補正書】
【提出日】平成27年1月23日(2015.1.23)
【手続補正１】
【補正対象書類名】明細書
【補正対象項目名】全文
【補正方法】変更
【補正の内容】
【発明の詳細な説明】
【発明の名称】熱交換器および空気調和機
【技術分野】
【０００１】
本発明は、一対のヘッダ集合管と、各ヘッダ集合管に接続する複数の扁平管とを備え、扁平管内を流れる流体を空気と熱交換させる熱交換器およびそれを備えた空気調和機に関する。
【背景技術】
【０００２】
従来より、一対のヘッダ集合管と、各ヘッダ集合管に接続する複数の扁平管とを備えた熱交換器が知られている。特許文献１および２には、この種の熱交換器が開示されている。具体的に、特許文献１および２の熱交換器では、熱交換器の左端と右端にヘッダ集合管が一本ずつ立設され、第１のヘッダ集合管から第２のヘッダ集合管に亘って複数の扁平管が配置されている。そして、特許文献１および２の熱交換器は、扁平管の内部を流れる冷媒を、扁平管の外部を流れる空気と熱交換させる。
【０００３】
特許文献１および２の熱交換器を流れる冷媒は、複数の扁平管への分岐と、複数の扁平管からの合流とを繰り返す。つまり、第１のヘッダ集合管へ流入した冷媒は、第２のヘッダ集合管へ向かう複数の扁平管に分岐して流入し、各扁平管を通過した後に第２のヘッダ集合管へ流入して合流し、その後に第１のヘッダ集合管へ戻る別の複数の扁平管へ再び分岐して流入する。
【先行技術文献】
【特許文献】
【０００４】
【特許文献１】特開２００５−００３２２３号公報
【特許文献２】特開２０１０−１１２５８１号公報
【発明の概要】
【発明が解決しようとする課題】
【０００５】
ところで、上述した特許文献１および２の熱交換器において、流通冷媒量を増やすために扁平管の数を増やすとヘッダ集合管が長くなり、凝縮器としての性能が充分に得られないという問題があった。凝縮器として機能する場合、複数の扁平管から冷媒が流出して合流するヘッダ集合管では、液冷媒が溜まり込む。そして、下部に配置された扁平管ほど液冷媒で満たされた状態になってしまう。そのため、下部に配置された扁平管ほど流入するガス冷媒の流量が少なくなり、凝縮器としての性能が充分に発揮されなくなる。
【０００６】
そこで、流通冷媒量を増やすために、上述した特許文献１および２の熱交換器を上下に複数段連ねて一体に構成することが考えられる。ところが、この場合、各熱交換器において冷媒が最初に流通する上流側の扁平管と他の熱交換器において冷媒が最後に流通する下流側の扁平管とが隣接する箇所が複数生じる。熱交換器において、上流側の扁平管の冷媒温度と下流側の扁平管の冷媒温度とは互いに大きく異なる。そのような扁平管同士が隣接すると、その扁平管同士の間で熱が移動し、その分冷媒と空気との熱交換量が減少する。いわゆる熱ロスが生じる。この熱ロスによって、熱交換器の熱交換効率が低下してしまう。
【０００７】
本発明は、かかる点に鑑みてなされたものであり、その目的は、複数の扁平管が二つのヘッダ集合管の間に接続された熱交換器において、扁平管同士の間で熱が移動することによる熱ロスを抑制し、熱交換効率の低下を抑制することにある。
【課題を解決するための手段】
【０００８】
第１〜第３の各発明は、それぞれが立設された第１ヘッダ集合管（60）および第２ヘッダ集合管（70）と、上下に配列され、それぞれの一端が上記第１ヘッダ集合管（60）に接続され他端が上記第２ヘッダ集合管（70）に接続され、且つ、内部に冷媒の通路（34）が形成された複数の扁平管（33）と、隣り合う上記扁平管（33）の間を空気が流れる複数の通風路（38）に区画する複数のフィン（36）とを備えている熱交換器を前提としている。
【０００９】
そして、第１の発明において、上記複数の扁平管（33）は、上下に並ぶ複数の熱交換部に区分された上側熱交換領域（51）と、一つの熱交換部で構成されまたは上下に並ぶ複数の熱交換部に区分された下側熱交換領域（52）とに区分され、上記第１ヘッダ集合管（60）には、その内部空間を上下に仕切ることによって、上記上側熱交換領域（51）に対応したガス冷媒の上側空間（61）と上記下側熱交換領域（52）に対応した液冷媒の下側空間（62）が形成され、上記第２ヘッダ集合管（70）は、その内部空間を仕切ることによって、上記上側熱交換領域（51）における各熱交換部に対応した該熱交換部と同数の連通空間が形成され、且つ、上記下側熱交換領域（52）における各熱交換部に対応した該熱交換部と同数の連通空間が形成され、上記第２ヘッダ集合管（70）には、上記上側熱交換領域（51）に対応した上記連通空間と上記下側熱交換領域（52）に対応した上記連通空間とを連通させる連通管が設けられている。
【００１０】
また、第２の発明において、上記複数の扁平管（33）は、上下に並ぶ複数の熱交換部に区分された上側熱交換領域（51）と、該上側熱交換領域（51）の熱交換部よりも少数の熱交換部に区分された下側熱交換領域（52）とに区分され、上記第１ヘッダ集合管（60）には、その内部空間を上下に仕切ることによって、上記上側熱交換領域（51）に対応したガス冷媒の上側空間（61）と上記下側熱交換領域（52）に対応した液冷媒の下側空間（62）が形成され、上記第２ヘッダ集合管（70）は、その内部空間を仕切ることによって、上記上側熱交換領域（51）における各熱交換部に対応した該熱交換部と同数の連通空間が形成され、且つ、上記下側熱交換領域（52）における各熱交換部に対応した該熱交換部と同数の連通空間が形成され、上記第２ヘッダ集合管（70）には、上記上側熱交換領域（51）に対応した上記連通空間と上記下側熱交換領域（52）に対応した上記連通空間とを連通させる連通部材が設けられている。
【００１１】
また、第３の発明において、上記複数の扁平管（33）は、上下に並ぶ複数の熱交換部に区分された上側熱交換領域（51）と、一つの熱交換部で構成されまたは上下に並ぶ複数の熱交換部に区分された下側熱交換領域（52）とに区分され、上記第１ヘッダ集合管（60）には、その内部空間を上下に仕切ることによって、上記上側熱交換領域（51）に対応したガス冷媒の上側空間（61）と上記下側熱交換領域（52）に対応した液冷媒の下側空間（62）が形成され、上記上側熱交換領域（51）および下側熱交換領域（52）は、互いに複数且つ同数の上記熱交換部（51a〜51c,52a〜52c）に区分され、上記上側熱交換領域（51）における各熱交換部（51a〜51c）と上記下側熱交換領域（52）における各熱交換部（52a〜52c）とが各一で対となる一方、上記第２ヘッダ集合管（70）の内部空間には、該第２ヘッダ集合管（70）の上端から下端に亘って、該第２ヘッダ集合管（70）の軸方向に沿って延びる仕切板が設けられ、上記第２ヘッダ集合管（70）には、その内部空間を上記仕切板で仕切ることによって、対となった上記上側熱交換領域（51）の熱交換部と上記下側熱交換領域（52）の熱交換部に共通に対応した単一の連通空間（71a〜71c）が上記対の数と同数形成され、対となる上記上側熱交換領域（51）の熱交換部と上記下側熱交換領域（52）の熱交換部は、それぞれを構成する扁平管（33）が、上記連通空間と連通するように上記仕切板を貫通している。
【００１２】
上記第１，第３の各発明の熱交換器（23）では、上側熱交換領域（51）の扁平管（33）が上下に複数の熱交換部に区分され、下側熱交換領域（52）の扁平管（33）が上下に一つまたは複数の熱交換部に区分されている。また、第２の発明の熱交換器（23）では、上側熱交換領域（51）の扁平管（33）が上下に複数の熱交換部に区分され、下側熱交換領域（52）の扁平管（33）が上側熱交換領域（51）の熱交換部よりも少数の熱交換部に区分されている。ここでは、例えば、上側熱交換領域（51）および下側熱交換領域（52）の双方が複数の熱交換部に区分されている場合について説明する。
【００１３】
例えば、外部から第１ヘッダ集合管（60）における下側空間（62）へ流入した液冷媒（液単相状態または気液二相状態の冷媒）は、下側熱交換領域（52）の対応する各熱交換部の扁平管（33）を流れて第２ヘッダ集合管（70）の下側熱交換領域（52）に対応した各連通空間へ流入する。その際、冷媒は上記扁平管（33）を流れる間に空気と熱交換する。第２ヘッダ集合管（70）において、下側熱交換領域（52）に対応した各連通空間へ流入した冷媒は、上側熱交換領域（51）に対応した各連通空間へ流れて上側熱交換領域（51）の各熱交換部へ流入する。各熱交換部へ流入した冷媒は、扁平管（33）を流れる間に更に空気と熱交換する。上側熱交換領域（51）の各熱交換部を流れた冷媒は、ガス冷媒となって第１ヘッダ集合管（60）の上側空間（61）から外部へ流出する。このように、本発明の熱交換器（23）では、外部から第１ヘッダ集合管（60）の下側空間（62）へ流入した液冷媒（液単相状態または気液二相状態の冷媒）が、下側熱交換領域（52）において上下に並ぶ各熱交換部を流れた後、上側熱交換領域（51）において上下に並ぶ各熱交換部を流れて蒸発し外部へ流出する。また、外部から第１ヘッダ集合管（60）の上側空間（61）へ流入したガス冷媒は、上側熱交換領域（51）の各熱交換部を流れた後、下側熱交換領域（52）の各熱交換部を流れて凝縮し外部へ流出することとなる。
【００１４】
ここで、上側熱交換領域（51）の各熱交換部を流れる冷媒の温度と、下側熱交換領域（52）の各熱交換部を流れる冷媒の温度とは、互いに大きく異なる。そのため、互いに冷媒温度の異なる熱交換部同士が隣接した場合、その隣接する互いの扁平管（33）同士の間で熱の移動が生じて、いわゆる熱ロスが生じる。そこで、本発明の熱交換器（23）では、互いに冷媒温度の異なる上側熱交換領域（51）の熱交換部と下側熱交換領域（52）の熱交換部とが複数ずつ設けられているにも拘わらず、上側熱交換領域（51）の熱交換部と下側熱交換領域（52）の熱交換部とが隣接する箇所は最少の１箇所となる。つまり、本発明の熱交換器（23）において、上側熱交換領域（51）および下側熱交換領域（52）の双方の熱交換部同士が隣接する箇所は、上側熱交換領域（51）において最下に位置する熱交換部と下側熱交換領域（52）において最上に位置する熱交換部とが隣接する箇所のみである。
【００１５】
上記第３の発明では、例えば、外部から第１ヘッダ集合管（60）における下側空間（62）へ流入した液冷媒（液単相状態または気液二相状態の冷媒）が、下側熱交換領域（52）の対応する各熱交換部（52a〜52c）を流れて、第２ヘッダ集合管（70）の対応する各連通空間（71a〜71c）へ流入する。この各連通空間（71a〜71c）へ流入した冷媒は、そのまま上側熱交換領域（51）の対応する各熱交換部（51a〜51c）へ流入する。そして、この発明の熱交換器（23）においても、互いに冷媒温度の異なる上側熱交換領域（51）および下側熱交換領域（52）の双方の熱交換部（51a〜51c,52a〜52c）同士が隣接する
箇所は、上側熱交換領域（51）において最下に位置する熱交換部（51a）と下側熱交換領域（52）において最上に位置する熱交換部（52c）とが隣接する箇所のみである。
【００１６】
第４の発明は、空気調和機（10）を対象とし、上記第１乃至第３の何れか一つの発明の熱交換器（23）が設けられた冷媒回路（20）を備え、上記冷媒回路（20）において冷媒を循環させて冷凍サイクルを行うものである。
【００１７】
上記第４の発明では、上記第１乃至第３の何れか一つの発明の熱交換器（23）が冷媒回路（20）に接続される。熱交換器（23）において、冷媒回路（20）を循環する冷媒は、扁平管（33）の通路（34）を流れ、通風路（38）を流れる空気と熱交換する。
【発明の効果】
【００１８】
第１〜第３の発明によれば、熱交換器（23）において、上側熱交換領域（51）の複数の熱交換部が上下方向における片側（上側）へ集合して配列され、下側熱交換領域（52）の一つまたは複数の熱交換部が反対側の片側（下側）へ集合して配列されている。これにより、互いに冷媒温度の異なる上側熱交換領域（51）の熱交換部と下側熱交換領域（52）の熱交換部とが隣接する箇所を最少の１箇所に抑えることができる。そのため、互いに隣接する上側熱交換領域（51）の扁平管（33）と下側熱交換領域（52）の扁平管（33）との間で熱が移動することによる熱ロスを最大限に抑制することができる。その結果、熱交換器（23）の熱交換効率の低下を大幅に抑制することができる。
【００１９】
そして、第４の発明によれば、上述したような効果を奏する空気調和機（10）を提供することができる。
【図面の簡単な説明】
【００２０】
【図１】図１は、実施形態１の室外熱交換器を備える空気調和機の概略構成を示す冷媒回路図である。
【図２】図２は、実施形態１の室外熱交換器の概略構成を示す正面図である。
【図３】図３は、実施形態１の室外熱交換器の正面を示す一部断面図である。
【図４】図４は、図３のＡ−Ａ断面の一部を示す熱交換器の断面図である。
【図５】図５は、実施形態１の変形例１の室外熱交換器の正面を示す一部断面図である。
【図６】図６は、実施形態１の変形例２の室外熱交換器の正面を示す一部断面図である。
【図７】図７は、実施形態２の室外熱交換器の概略構成を示す正面図である。
【図８】図８は、実施形態２の室外熱交換器の正面を示す一部断面図である。
【図９】図９は、実施形態２の一変形例の室外熱交換器の正面を示す一部断面図である。
【図１０】図１０は、実施形態２の一変形例の室外熱交換器の正面を示す一部断面図である。
【図１１】図１１は、実施形態３の室外熱交換器の概略構成を示す正面図である。
【図１２】図１２は、実施形態３の室外熱交換器の正面を示す一部断面図である。
【図１３】図１３は、実施形態４の室外熱交換器の概略構成を示す正面図である。
【図１４】図１４は、実施形態４の室外熱交換器の正面を示す一部断面図である。
【図１５】図１５は、実施形態５の室外熱交換器の正面を示す一部断面図である。
【図１６】図１６は、実施形態５の室外熱交換器のフィンの概略斜視図である。
【図１７】図１７は、図１５のＢ−Ｂ断面の一部を示す熱交換器の断面図である。
【発明を実施するための形態】
【００２１】
以下、本発明の実施形態を図面に基づいて詳細に説明する。なお、以下の実施形態および変形例は、本質的に好ましい例示であって、本発明、その適用物、あるいはその用途の範囲を制限することを意図するものではない。
【００２２】
《発明の実施形態１》
本発明の実施形態１について説明する。本実施形態の熱交換器は、空気調和機（10）に設けられた室外熱交換器（23）である。
【００２３】
−空気調和機−
空気調和機（10）について、図１を参照しながら説明する。
【００２４】
〈空気調和機の構成〉
空気調和機（10）は、室外ユニット（11）および室内ユニット（12）を備えている。室外ユニット（11）と室内ユニット（12）は、液側連絡配管（13）およびガス側連絡配管（14）を介して互いに接続されている。空気調和機（10）では、室外ユニット（11）、室内ユニット（12）、液側連絡配管（13）およびガス側連絡配管（14）によって、冷媒回路（20）が形成されている。
【００２５】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）、および膨張弁（24）は、室外ユニット（11）に収容されている。室外ユニット（11）には、室外熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００２６】
冷媒回路（20）は、冷媒が充填された閉回路である。冷媒回路（20）において、圧縮機（21）は、その吐出側が四方切換弁（22）の第１のポートに、その吸入側が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。
【００２７】
圧縮機（21）は、スクロール型またはロータリ型の全密閉型圧縮機である。四方切換弁（22）は、第１のポートが第３のポートと連通し且つ第２のポートが第４のポートと連通する第１状態（図１に破線で示す状態）と、第１のポートが第４のポートと連通し且つ第２のポートが第３のポートと連通する第２状態（図１に実線で示す状態）とに切り換わる。膨張弁（24）は、いわゆる電子膨張弁である。
【００２８】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００２９】
〈空気調和機の運転動作〉
空気調和機（10）は、冷房運転と暖房運転を選択的に行う。
【００３０】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００３１】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００３２】
−室外熱交換器−
室外熱交換器（23）について、図２〜４を適宜参照しながら説明する。なお、以下の説明に示す扁平管（33）の本数は、何れも単なる一例である。
【００３３】
〈室外熱交換器の構成〉
図２および図３に示すように、室外熱交換器（23）は、一つの第１ヘッダ集合管（60）と、一つの第２ヘッダ集合管（70）と、多数の扁平管（33）と、多数のフィン（36）とを備えている。第１ヘッダ集合管（60）、第２ヘッダ集合管（70）、扁平管（33）およびフィン（35）は、何れもアルミニウム合金製の部材であって、互いにロウ付けによって接合されている。
【００３４】
第１ヘッダ集合管（60）と第２ヘッダ集合管（70）は、何れも両端が閉塞された細長い中空円筒状に形成されている。図２および図３では、室外熱交換器（23）の左端に第１ヘッダ集合管（60）が立設され、室外熱交換器（23）の右端に第２ヘッダ集合管（70）が立設されている。つまり、第１ヘッダ集合管（60）と第２ヘッダ集合管（70）は、それぞれの軸方向が上下方向となる状態で設置されている。
【００３５】
図４にも示すように、扁平管（33）は、その断面形状が扁平な長円形あるいは角の丸い矩形となった伝熱管である。室外熱交換器（23）において、複数の扁平管（33）は、その伸長方向が左右方向となり、それぞれの平坦な側面が対向する状態で配置されている。また、複数の扁平管（33）は、互いに一定の間隔をおいて上下に並んで配置され、それぞれの伸長方向が実質的に平行になっている。図３に示すように、各扁平管（33）は、その一端が第１ヘッダ集合管（60）に挿入され、その他端が第２ヘッダ集合管（70）に挿入されている。
【００３６】
図４に示すように、各扁平管（33）には、複数の流体通路（34）が形成されている。各流体通路（34）は、扁平管（33）の伸長方向に延びる通路である。各扁平管（33）において、複数の流体通路（34）は、扁平管（33）の伸長方向と直交する幅方向に一列に並んでいる。各扁平管（33）に形成された複数の流体通路（34）は、それぞれの一端が第１ヘッダ集合管（60）の内部空間に連通し、それぞれの他端が第２ヘッダ集合管（70）の内部空間に連通している。室外熱交換器（23）へ供給された冷媒は、扁平管（33）の流体通路（34）を流れる間に空気と熱交換する。
【００３７】
図４に示すように、フィン（36）は、金属板をプレス加工することによって形成された縦長の板状フィンである。フィン（36）には、フィン（36）の前縁（即ち、風上側の縁部）からフィン（36）の幅方向に延びる細長い切欠き部（45）が、多数形成されている。フィン（36）では、多数の切欠き部（45）が、フィン（36）の長手方向（上下方向）に一定の間隔で形成されている。切欠き部（45）の風下寄りの部分は、管挿入部（46）を構成している。管挿入部（46）は、上下方向の幅が扁平管（33）の厚さと実質的に等しく、長さが扁平管（33）の幅と実質的に等しい。扁平管（33）は、フィン（36）の管挿入部（46）に挿入され、管挿入部（46）の周縁部とロウ付けによって接合される。また、フィン（36）には、伝熱を促進するためのルーバー（40）が形成されている。そして、複数のフィン（36）は、扁平管（33）の伸長方向に配列されることで、隣り合う扁平管（33）の間を空気が流れる複数の通風路（38）に区画している。
【００３８】
図２に示すように、室外熱交換器（23）の扁平管（33）は、上下に二つの熱交換領域（51,52）に区分されている。つまり、室外熱交換器（23）は、上側熱交換領域（51）と下側熱交換領域（52）が形成されている。そして、各熱交換領域（51,52）は、上下に三つずつの熱交換部（51a〜51c,52a〜52c）に区分されている。具体的に、上側熱交換領域（51）には、下から上に向かって順に、第１主熱交換部（51a）と、第２主熱交換部（51b）と、第３主熱交換部（51c）とが形成されている。下側熱交換領域（52）には、下から上に向かって順に、第１補助熱交換部（52a）と、第２補助熱交換部（52b）と、第３補助熱交換部（52c）とが形成されている。このように、本実施形態の室外熱交換器（23）では、上側熱交換領域（51）および下側熱交換領域（52）において互いに複数且つ同数の熱交換部（51a〜51c,52a〜52c）に区分されている。図３に示すように、各主熱交換部（51a〜51c）は十一本の扁平管（33）を有しており、各補助熱交換部（52a〜52c）は三本の扁平管（33）を有している。なお、各熱交換領域（51,52）に形成される熱交換部（51a〜51c,52a〜52c）の数は、二つであってもよいし、四つ以上であってもよい。
【００３９】
第１ヘッダ集合管（60）および第２ヘッダ集合管（70）の内部空間は、複数の仕切板（39）によって上下に仕切られている。
【００４０】
具体的に、第１ヘッダ集合管（60）の内部空間は、上側熱交換領域（51）に対応したガス冷媒の上側空間（61）と、下側熱交換領域（52）に対応した液冷媒の下側空間（62）とに仕切られている。なお、ここで言う液冷媒とは、液単相状態の冷媒または気液二相状態の冷媒を意味する。上側空間（61）は、全ての主熱交換部（51a〜51c）に共通に対応した単一の空間である。つまり、上側空間（61）は、全ての主熱交換部（51a〜51c）の扁平管（33）と連通している。下側空間（62）は、更に仕切板（39）によって、各補助熱交換部（52a〜52c）に対応した該補助熱交換部（52a〜52c）と同数（三つ）の連通空間（62a
〜62c）に上下に仕切られている。つまり、下側空間（62）では、第１補助熱交換部（52a）の扁平管（33）と連通する第１連通空間（62a）と、第２補助熱交換部（52b）の扁平管（33）と連通する第２連通空間（62b）と、第３補助熱交換部（52c）の扁平管（33）と連通する第３連通空間（62c）とが形成されている。
【００４１】
第２ヘッダ集合管（70）の内部空間は、上下に五つの連通空間（71a〜71e）に仕切られている。具体的に、第２ヘッダ集合管（70）の内部空間は、上側熱交換領域（51）において最下に位置する第１主熱交換部（51a）と下側熱交換領域（52）において最上に位置する第３補助熱交換部（52c）を除く各主熱交換部（51b,51c）および各補助熱交換部（52a,52b）に対応した四つの連通空間（71a,71b,71d,71e）と、第１主熱交換部（51a）および第３補助熱交換部（52c）に共通に対応した単一の連通空間（71c）とに仕切られている。つまり、第２ヘッダ集合管（70）の内部空間では、第１補助熱交換部（52a）の扁平管
（33）と連通する第１連通空間（71a）と、第２補助熱交換部（52b）の扁平管（33）と連通する第２連通空間（71b）と、第３補助熱交換部（52c）および第１主熱交換部（51a）の双方の扁平管（33）と連通する第３連通空間（71c）と、第２主熱交換部（51b）の扁平管（33）と連通する第４連通空間（71d）と、第３主熱交換部（51c）の扁平管（33）と連通する第５連通空間（71e）とが形成されている。
【００４２】
第２ヘッダ集合管（70）では、第４連通空間（71d）および第５連通空間（71e）と、第１連通空間（71a）および第２連通空間（71b）とが、各一で対となっている。具体的に、第１連通空間（71a）と第４連通空間（71d）が対となり、第２連通空間（71b）と第５連通空間（71e）が対となっている。そして、第２ヘッダ集合管（70）には、第１連通空間（71a）と第４連通空間（71d）とを接続する第１連通管（72）と、第２連通空間（71b）と第５連通空間（71e）とを接続する第２連通管（73）とが設けられている。つまり、本実施形態の室外熱交換器（23）では、第１主熱交換部（51a）と第３補助熱交換部（52c）が対となり、第２主熱交換部（51b）と第１補助熱交換部（52a）が対となり、第３主熱交換部（51c）と第２補助熱交換部（52b）が対となっている。
【００４３】
このように、第２ヘッダ集合管（70）の内部空間では、上側熱交換領域（51）の各主熱交換部（51a〜51c）に対応した該主熱交換部（51a〜51c）と同数（三つ）の連通空間（71c,71d,71e）が形成され、且つ、下側熱交換領域（52）の各補助熱交換部（52a〜52c）に対応した該補助熱交換部（52a〜52c）と同数（三つ）の連通空間（71a,71b,71c）が形成されている。そして、上側熱交換領域（51）に対応した連通空間（71c,71d,71e）と下側熱交換領域（52）に対応した連通空間（71a,71b,71c）とが連通している。
【００４４】
そして、図３に示すように、室外熱交換器（23）では、第２ヘッダ集合管（70）における上側二つの仕切板（39）のそれぞれの側方に位置する部分が、主熱交換部（51a〜51c）同士の境界部（53）となっている。また、室外熱交換器（23）では、第１ヘッダ集合管（60）における下側二つの仕切板（39）と第２ヘッダ集合管（70）における下側二つの仕切板（39）との間の部分が、補助熱交換部（52a〜52c）同士の境界部（54）となっている。また、室外熱交換器（23）では、第１ヘッダ集合管（60）における最上の仕切板（39）の側方に位置する部分が、第１主熱交換部（51a）と第３補助熱交換部（52c）の境界部（55）、即ち上側熱交換領域（51）の熱交換部（51a）と下側熱交換領域（52）の補助熱交換部（52c）の境界部（55）となっている。
【００４５】
図２に示すように、室外熱交換器（23）には、液側接続部材（80）とガス側接続部材（85）とが設けられている。液側接続部材（80）およびガス側接続部材（85）は、第１ヘッダ集合管（60）に取り付けられている。
【００４６】
液側接続部材（80）は、一つの分流器（81）と、三本の細径管（82a〜82c）とを備えている。液側接続部材（80）を構成する分流器（81）および細径管（82a〜82c）の材質は、ヘッダ集合管（60,70）や扁平管（33）と同様のアルミニウム合金である。分流器（81）の下端部には、室外熱交換器（23）と膨張弁（24）を繋ぐ銅製の配管（17）が、図外の継手を介して接続されている。分流器（81）の上端部には、各細径管（82a〜82c）の一端が接続されている。分流器（81）の内部では、その下端部に接続された配管と、各細径管（82a〜82c）とが連通している。各細径管（82a〜82c）の他端は、第１ヘッダ集合管（60）の下側空間（62）に接続され、対応する連通空間（62a〜62c）に連通している。各細径管（82a〜82c）は、ロウ付けによって第１ヘッダ集合管（60）と接合されている。
【００４７】
図３にも示すように、各細径管（82a〜82c）は、対応する連通空間（62a〜62c）の下端寄りの部分に開口している。つまり、第１細径管（82a）は第１連通空間（62a）の下端寄りの部分に開口し、第２細径管（82b）は第２連通空間（62b）の下端寄りの部分に開口し、第３細径管（82c）は第３連通空間（62c）の下端寄りの部分に開口している。なお、各細径管（82a〜82c）の長さは、各補助熱交換部（52a〜52c）へ流入する冷媒の流量の差がなるべく小さくなるように、個別に設定されている。
【００４８】
ガス側接続部材（85）は、比較的大径の一つの配管で構成されている。ガス側接続部材（85）の材質は、ヘッダ集合管（60,70）や扁平管（33）と同様のアルミニウム合金である。ガス側接続部材（85）の一端は、室外熱交換器（23）と四方切換弁（22）の第３のポートを繋ぐ銅製の配管（18）が、図外の継手を介して接続されている。ガス側接続部材（85）の他端は、第１ヘッダ集合管（60）における上側空間（61）の上端寄りの部分に開口している。ガス側接続部材（85）は、ロウ付けによって第１ヘッダ集合管（60）と接合されている。
【００４９】
〈室外熱交換器における冷媒の流れ〉
空気調和機（10）の冷房運転中には、室外熱交換器（23）が凝縮器として機能する。冷房運転中における室外熱交換器（23）での冷媒の流れを説明する。
【００５０】
室外熱交換器（23）には、圧縮機（21）から吐出されたガス冷媒が供給される。圧縮機（21）から送られたガス冷媒は、ガス側接続部材（85）を介して第１ヘッダ集合管（60）の上側空間（61）へ流入した後、各主熱交換部（51a〜51c）の各扁平管（33）へ分配される。各扁平管（33）の流体通路（34）へ流入した冷媒は、流体通路（34）を流れる間に室外空気へ放熱して凝縮し、その後に第２ヘッダ集合管（70）の対応する各連通空間（71c,71d,71e）へ流入する。
【００５１】
第２ヘッダ集合管（70）において、第３連通空間（71c）へ流入した冷媒はそのまま第３補助熱交換部（52c）の各扁平管（33）へ分配され、第４連通空間（71d）へ流入した冷媒は第１連通管（72）を介して第１連通空間（71a）へ流入し第１補助熱交換部（52a）の各扁平管（33）へ分配され、第５連通空間（71e）へ流入した冷媒は第２連通管（73）を介して第２連通空間（71b）へ流入し第２補助熱交換部（52b）の各扁平管（33）へ分配される。各補助熱交換部（52a〜52c）における各扁平管（33）の流体通路（34）へ流入した冷媒は、流体通路（34）を流れる間に室外空気へ放熱し、過冷却液状態となって第１ヘッダ集合管（60）における下側空間（62）の対応する連通空間（62a〜62c）へ流入する。
【００５２】
第１ヘッダ集合管（60）における下側空間（62）の各連通空間（62a〜62c）へ流入した冷媒は、液側接続部材（80）の細径管（82a〜82c）を通って分流器（81）へ流入する。分流器（81）では、各細径管（82a〜82c）から流入した冷媒が合流する。分流器（81）において合流した冷媒は、室外熱交換器（23）から膨張弁（24）へ向かって流出してゆく。このように、冷房運転時の室外熱交換器（23）では、冷媒が上側熱交換領域（51）の各主熱交換部（51a〜51c）へ流入して放熱した後、下側熱交換領域（52）の各補助熱交換部（52a〜52c）へ流入して更に放熱する。
【００５３】
空気調和機（10）の暖房運転中には、室外熱交換器（23）が蒸発器として機能する。暖房運転中における室外熱交換器（23）での冷媒の流れを説明する。
【００５４】
室外熱交換器（23）には、膨張弁（24）を通過する際に膨張して気液二相状態となった冷媒が供給される。膨張弁（24）から送られた冷媒は、液側接続部材（80）の分流器（81）へ流入した後に三本の細径管（82a〜82c）へ分かれて流入し、第１ヘッダ集合管（60）における下側空間（62）の各連通空間（62a〜62c）へ分配される。
【００５５】
第１ヘッダ集合管（60）における下側空間（62）の連通空間（62a〜62c）へ流入した冷媒は、対応する各補助熱交換部（52a〜52c）の各扁平管（33）へ分配される。各扁平管（33）の流体通路（34）へ流入した冷媒は、流体通路（34）を流れて第２ヘッダ集合管（70）の対応する連通空間（71a,71b,71c）へ流入する。この連通空間（71a,71b,71c）へ流入した冷媒は、依然として気液二相状態のままである。
【００５６】
第２ヘッダ集合管（70）において、第１連通空間（71a）へ流入した冷媒は第１連通管（72）を介して第４連通空間（71d）へ流入し第２主熱交換部（51b）の各扁平管（33）へ分配され、第２連通空間（71b）へ流入した冷媒は第２連通管（73）を介して第５連通空間（71e）へ流入し第３主熱交換部（51c）の各扁平管（33）へ分配され、第３連通空間（71c）へ流入した冷媒はそのまま第１主熱交換部（51a）の各扁平管（33）へ分配される。各主熱交換部（51a〜51c）における各扁平管（33）の流体通路（34）へ流入した冷媒は、流体通路（34）を流れる間に室外空気から吸熱して蒸発し、ほぼガス単相状態となって第１ヘッダ集合管（60）の上側空間（61）で合流する。第１ヘッダ集合管（60）の上側空間（61）で合流した冷媒は、ガス側接続部材（85）から圧縮機（21）へ向かって流出してゆく。このように、暖房運転時の室外熱交換器（23）では、冷媒が下側熱交換領域（52）の各補助熱交換部（52a〜52c）へ流入した後、上側熱交換領域（51）の各主熱交換部（51a〜51c）へ流入して吸熱する。
【００５７】
−実施形態１の効果−
本実施形態の室外熱交換器（23）は、順に冷媒が流通する主熱交換部（51a〜51c）および補助熱交換部（52a〜52c）の対を複数有し、複数の主熱交換部（51a〜51c）が上下に並ぶ上側熱交換領域（51）と、複数の補助熱交換部（52a〜52c）が上下に並ぶ下側熱交換領域（52）とに区分されている。つまり、本実施形態の室外熱交換器（23）では、複数の主熱交換部（51a〜51c）が上下方向における片側（上側）へ集合して配列され、複数の補助熱交換部（52a〜52c）が反対側の片側（下側）へ集合して配列されている。これにより、主熱交換部と補助熱交換部が互いに隣接する箇所を最少の１箇所に抑えることができる。つまり、本実施形態の室外熱交換器（23）において、主熱交換部（51a〜51c）と補助熱交換部（52a〜52c）とが隣接する箇所は、上側熱交換領域（51）において最下に位置する第１主熱交換部（51a）と下側熱交換領域（52）において最上に位置する第３補助熱交換部（52c）とが隣接する箇所のみである。
【００５８】
主熱交換部（51a〜51c）を流通する冷媒の温度と、補助熱交換部（52a〜52c）を流通する冷媒の温度とは異なる。具体的に、主熱交換部（51a〜51c）を流通する冷媒の温度は、補助熱交換部（52a〜52c）を流通する冷媒の温度よりも高い。そのため、互いに隣接する主熱交換部の扁平管（33）と補助熱交換部の扁平管（33）との間では、その隣接間のフィン（36）を通じて互いの冷媒同士が熱交換してしまい、その分冷媒と空気との間で交換する熱量が減少する。いわゆる熱ロスが生じる。その結果、室外熱交換器（23）の熱交換効率が低下してしまう。このような冷媒の熱ロスは、主熱交換部と補助熱交換部が互いに隣接する箇所が多いほど増大する。そのため、主熱交換部と補助熱交換部が互いに隣接する箇所が少ないほど、熱交換効率の低下を抑制することができる。ここで、例えば、互いに複数且つ同数の主熱交換部および補助熱交換部を有する熱交換器において、一つの主熱交換部および一つの補助熱交換部を対として互いに隣接させ、その隣接した対を上下に複数連ねた場合、主熱交換部と補助熱交換部が互いに隣接する箇所は、主熱交換部および補助熱交換部の合計数の一つだけ少ない数の箇所となる。これに対し、本実施形態の室外熱交換器（23）によれば、主熱交換部（51a〜51c）と補助熱交換部（52a〜52c）との隣接箇所が最少の１箇所になるため、冷媒の熱ロスを最大限に抑制でき熱交換効率の低下を大幅に抑制することができる。
【００５９】
一般に、本実施形態の熱交換器（23,25）のような空気熱交換器では、中央ほど風速が高い。ここで、上述したような互いに隣接した主熱交換部と補助熱交換部の対を上下に複数連ねた熱交換器の場合、風速の高い範囲に補助熱交換部も配置されることになり、その分、風速の高い範囲に配置される主熱交換部の面積が少なくなる。これにより、主熱交換部は補助熱交換部よりも空気の熱量を多く必要とするところ、主熱交換部の能力が充分に発揮されなくなる。これに対し、本実施形態の室外熱交換器（23）によれば、上述したように複数の主熱交換部（51a〜51c）および補助熱交換部（52a〜52c）をそれぞれ片側に集合させることで、風速の低い範囲に補助熱交換部（52a〜52c）を配置し風速の高い範囲に主熱交換部（51a〜51c）を配置することができる。よって、主熱交換部（51a〜51c）における熱交換能力を充分に発揮させることができる。
【００６０】
また、本実施形態の室外熱交換器（23）では、液側接続部材（80）とガス側接続部材（85）の両方が第１ヘッダ集合管（60）に取り付けられる。つまり、本実施形態の室外熱交換器（23）では、複数の熱交換部（51a〜51c,52a〜52c）に対して冷媒を流入出させるための部材が、第１ヘッダ集合管（60）に取り付けられる。したがって、本実施形態によれば、膨張弁（24）や四方切換弁（22）から延びる配管（17,18）の室外熱交換器（23）に対する接続位置を近接させることができ、室外熱交換器（23）の設置作業を簡素化することができる。
【００６１】
また、本実施形態の室外熱交換器（23）の第１ヘッダ集合管（60）では、下側空間（62）における各連通空間（62a〜62c）の下端寄りの位置に液側接続部材（80）の細径管（82a〜82c）が連通している。したがって、本実施形態の室外熱交換器（23）が凝縮器として機能する場合は、密度の大きい液冷媒を連通空間（62a〜62c）から液側接続部材（80）の細径管（82a〜82c）へ確実に送り込むことができる。更に、本実施形態の室外熱交換器（23）の第１ヘッダ集合管（60）では、上側空間（61）の上端寄りの位置にガス側接続部材（85）が連通している。したがって、本実施形態の室外熱交換器（23）が蒸発器として機能する場合は、密度の小さいガス冷媒を上側空間（61）からガス側接続部材（85）へ確実に送り込むことができる。
【００６２】
−実施形態１の変形例１−
実施形態１の室外熱交換器（23）では、図５に破線で示す位置に扁平管（33）を設けないようにしてもよい。具体的に、図５に示す本変形例１の室外熱交換器（23）では、互いに隣接する第１主熱交換部（51a）および第３補助熱交換部（52c）において第１主熱交換部（51a）の最下に位置する扁平管（33）が省略されている。つまり、第１主熱交換部（51a）において第３補助熱交換部（52c）の扁平管（33）に最も近い扁平管（33）が省略されている。
【００６３】
本変形例の室外熱交換器（23）では、第１主熱交換部（51a）と第３補助熱交換部（52c）の境界部（55）を挟んで上下に隣り合う扁平管（33）の間に形成された扁平管（33）の設けられない部分が、伝熱抑制構造（57）を構成している。
【００６４】
この構成によれば、第１主熱交換部（51a）の最下に位置する扁平管（33）と第３補助熱交換部（52c）の最上に位置する扁平管（33）との間隔Ｄ２が、他の扁平管（33）同士の間隔Ｄ１よりも広くなる。これにより、互いに隣り合う第１主熱交換部（51a）の扁平管（33）と第３補助熱交換部（52c）の扁平管（33）との間における熱の移動を抑制することができる。つまり、隣り合う扁平管（33）同士の間で行われる冷媒同士の熱交換の量（熱ロス）を一層削減することができる。その結果、室外熱交換器（23）の熱交換効率の低下をより一層抑制することができる。
【００６５】
なお、本変形例では、第１主熱交換部（51a）の最下に位置する扁平管（33）に代えて、第３補助熱交換部（52c）の最上に位置する扁平管（33）を省略するようにしてもよいし、第１主熱交換部（51a）の最下に位置する扁平管（33）と第３補助熱交換部（52c）の最上に位置する扁平管（33）の両方を省略するようにしてもよい。
【００６６】
−実施形態１の変形例２−
実施形態１の室外熱交換器（23）では、図６に示すように、黒く塗りつぶされた扁平管（33a）に冷媒を実質的に流通させないようにしてもよい。具体的に、本変形例２の室外熱交換器（23）における第１ヘッダ集合管（60）では、第１主熱交換部（51a）の最下に位置する扁平管（33a）の上下に仕切板（39）が設置されている。このため、本変形例の室外熱交換器（23）において、上記の扁平管（33a）は実質的に冷媒が通過しない封止された状態となる。
【００６７】
つまり、本変形例の室外熱交換器（23）では、上記扁平管（33a）の上下に設置された仕切板（39）の間に位置する部分が、上側熱交換領域（51）の第１主熱交換部（51a）と下側熱交換領域（52）の第３補助熱交換部（52c）との境界部（55）となっている。この境界部（55）には、実質的に封止された上記扁平管（33a）が存在している。そして、本変形例の室外熱交換器（23）では、実質的に封止された扁平管（33a）が伝熱抑制構造（57）を構成している。
【００６８】
この構成によれば、第１主熱交換部（51a）において冷媒が実質的に流通する扁平管（33）のうち最下に位置する扁平管（33）と第３補助熱交換部（52c）の最上に位置する扁平管（33）との間隔Ｄ２が、他の扁平管（33）同士の間隔Ｄ１よりも広くなる。これにより、互いに隣接する第１主熱交換部（51a）の扁平管（33）と第３補助熱交換部（52c）の扁平管（33）との間における熱の移動を抑制することができる。つまり、隣り合う扁平管（33）同士の間で行われる冷媒同士の熱交換の量（熱ロス）を一層削減することができる。その結果、室外熱交換器（23）の熱交換効率の低下をより一層抑制することができる。
【００６９】
なお、本変形例の第１ヘッダ集合管（60）では、第１主熱交換部（51a）の最下に位置する扁平管（33a）に代えて、第３補助熱交換部（52c）の最上に位置する扁平管（33）のすぐ上とすぐ下の両方に仕切板（39）を設置するようにしてもよいし、第１主熱交換部（51a）の最下に位置する扁平管（33a）と第３補助熱交換部（52c）の最上に位置する扁平管（33）のそれぞれのすぐ上とすぐ下の両方に仕切板（39）を設置するようにしてもよい。
【００７０】
《発明の実施形態２》
本発明の実施形態２について説明する。本実施形態は、上記実施形態１の室外熱交換器（23）の構成を変更したものである。ここでは、本実施形態の室外熱交換器（23）について、図７および図８を適宜参照しながら、上記実施形態１と異なる点を説明する。
【００７１】
図７に示すように、室外熱交換器（23）の扁平管（33）は、上記実施形態１と同様、上下に上側熱交換領域（51）と下側熱交換領域（52）とに区分されている。そして、上側熱交換領域（51）は上下に並ぶ三つの主熱交換部（51a〜51c）に区分され、下側熱交換領域（52）は一つの補助熱交換部（52a）で構成されている。つまり、上側熱交換領域（51）には、下から上に向かって順に、第１主熱交換部（51a）と、第２主熱交換部（51b）と、第３主熱交換部（51c）とが形成されている。図８に示すように、各主熱交換部（51a〜51c）は十一本の扁平管（33）を有しており、補助熱交換部（52a）は九本の扁平管（33）を有している。なお、上側熱交換領域（51）に形成される主熱交換部（51a〜51c）の数は、二つであってもよいし、四つ以上であってもよい。
【００７２】
第１ヘッダ集合管（60）および第２ヘッダ集合管（70）の内部空間は、仕切板（39）によって上下に仕切られている。
【００７３】
具体的に、第１ヘッダ集合管（60）の内部空間は、上側熱交換領域（51）に対応したガス冷媒の上側空間（61）と、下側熱交換領域（52）に対応した液冷媒の下側空間（62）（連通空間（62a））とに仕切られている。なお、ここで言う液冷媒とは、上記実施形態１と同様、液単相状態の冷媒または気液二相状態の冷媒を意味する。上側空間（61）は、全ての主熱交換部（51a〜51c）に共通に対応した単一の空間である。つまり、上側空間（61）は、全ての主熱交換部（51a〜51c）の扁平管（33）と連通している。下側空間（62）（連通空間（62a））は、一つの補助熱交換部（52a）に対応した単一の空間であり、補助熱交換部（52a）の扁平管（33）と連通している。
【００７４】
第２ヘッダ集合管（70）の内部空間は、上下に四つの連通空間（71a〜71d）に仕切られている。具体的に、第２ヘッダ集合管（70）の内部空間は、上側熱交換領域（51）の各主熱交換部（51a〜51c）に対応した三つの連通空間（71b,71c,71d）と、下側熱交換領域（52）の補助熱交換部（52a）に対応した一つの連通空間（71a）とに仕切られている。つまり、第２ヘッダ集合管（70）の内部空間では、補助熱交換部（52a）の扁平管（33）と連通する第１連通空間（71a）と、第１主熱交換部（51a）の扁平管（33）と連通する第２連通空間（71b）と、第２主熱交換部（51b）の扁平管（33）と連通する第３連通空間（71c）と、第３主熱交換部（51c）の扁平管（33）と連通する第４連通空間（71d）とが形成されている。
【００７５】
第２ヘッダ集合管（70）には、連通部材（75）が設けられている。連通部材（75）は、一つの分流器（76）と、一本の主管（77）と、三本の細径管（78a〜78c）とを備えている。主管（77）の一端は分流器（76）の下端部に接続され、他端は第２ヘッダ集合管（70）の第１連通空間（71a）に接続されている。分流器（76）の上端部には、各細径管（78a〜78c）の一端が接続されている。分流器（81）の内部では、主管（77）と各細径管（78a〜78c）とが連通している。各細径管（78a〜78c）の他端は、第２ヘッダ集合管（70）の対応する第２〜第４連通空間（71b〜71d）に連通している。
【００７６】
図８にも示すように、各細径管（78a〜78c）は、対応する第２〜第４連通空間（71b〜71d）の下端寄りの部分に開口している。つまり、第１細径管（78a）は第２連通空間（71b）の下端寄りの部分に開口し、第２細径管（78b）は第３連通空間（71c）の下端寄りの部分に開口し、第３細径管（78c）は第４連通空間（71d）の下端寄りの部分に開口している。なお、各細径管（78a〜78c）の長さは、各主熱交換部（51a〜51c）へ流入する冷媒の流量の差がなるべく小さくなるように、個別に設定されている。このように、第２ヘッダ集合管（70）の連通部材（75）は、第１連通空間（71a）から、各主熱交換部（51a〜51c）に対応した第２〜第４連通空間（71b〜71d）へ分岐して接続されるものである。つまり、第２ヘッダ集合管（70）では、下側熱交換領域（52）に対応した連通空間（71a）と上側熱交換領域（51）に対応した各連通空間（71b,71c,71d）とが連通している。
【００７７】
そして、図８に示すように、室外熱交換器（23）では、第２ヘッダ集合管（70）における上側二つの仕切板（39）のそれぞれの側方に位置する部分が、主熱交換部（51a〜51c）同士の境界部（53）となっている。また、室外熱交換器（23）では、第１ヘッダ集合管（60）における仕切板（39）と第２ヘッダ集合管（70）における最下の仕切板（39）との間に位置する部分が、第１主熱交換部（51a）と補助熱交換部（52a）の境界部（55）、即ち上側熱交換領域（51）の熱交換部（51a）と下側熱交換領域（52）の補助熱交換部（52c）の境界部（55）となっている。
【００７８】
図７に示すように、室外熱交換器（23）には、液側接続部材（86）とガス側接続部材（85）とが設けられている。液側接続部材（86）およびガス側接続部材（85）は、第１ヘッダ集合管（60）に取り付けられている。液側接続部材（86）は、比較的大径の一つの配管で構成されている。液側接続部材（86）の一端は、室外熱交換器（23）と膨張弁（24）を繋ぐ配管が接続されている。液側接続部材（86）の他端は、第１ヘッダ集合管（60）における下側空間（62）（連通空間（62a））の下端寄りの部分に開口している。ガス側接続部材（85）は、比較的大径の一つの配管で構成されている。ガス側接続部材（85）の一端は、室外熱交換器（23）と四方切換弁（22）の第３のポートを繋ぐ配管と接続されている。ガス側接続部材（85）の他端は、第１ヘッダ集合管（60）における上側空間（61）の上端寄りの部分に開口している。
【００７９】
空気調和機（10）の冷房運転中には、室外熱交換器（23）が凝縮器として機能する。冷房運転中における室外熱交換器（23）での冷媒の流れを説明する。
【００８０】
圧縮機（21）から送られたガス冷媒は、ガス側接続部材（85）を介して第１ヘッダ集合管（60）の上側空間（61）へ流入した後、各主熱交換部（51a〜51c）の各扁平管（33）へ分配される。各扁平管（33）の流体通路（34）へ流入した冷媒は、流体通路（34）を流れる間に室外空気へ放熱して凝縮し、その後に第２ヘッダ集合管（70）の対応する第２〜第４連通空間（71b〜71d）へ流入する。この各連通空間（71b〜71d）へ流入した冷媒は、連通部材（75）の細径管（78a〜78c）を通って分流器（76）で合流する。分流器（76）で合流した冷媒は、主管（77）を介して第１連通空間（71a）へ流入し、補助熱交換部（52a）の各扁平管（33）へ分配される。補助熱交換部（52a）における各扁平管（33）の流体通路（34）へ流入した冷媒は、流体通路（34）を流れる間に室外空気へ放熱し、過冷却液状態となって第１ヘッダ集合管（60）における下側空間（62）（連通空間（62a））へ流入する。第１ヘッダ集合管（60）における下側空間（62）へ流入した冷媒は、液側接続部材（86）から膨張弁（24）へ向かって流出してゆく。このように、冷房運転時の室外熱交換器（23）では、冷媒が上側熱交換領域（51）の各主熱交換部（51a〜51c）へ流入して放熱した後、下側熱交換領域（52）の補助熱交換部（52a）へ流入して更に放熱する。
【００８１】
空気調和機（10）の暖房運転中には、室外熱交換器（23）が蒸発器として機能する。暖房運転中における室外熱交換器（23）での冷媒の流れを説明する。
【００８２】
膨張弁（24）から送られた冷媒は、液側接続部材（86）を介して第１ヘッダ集合管（60）における下側空間（62）へ流入し、補助熱交換部（52a）の各扁平管（33）へ分配される。各扁平管（33）の流体通路（34）へ流入した冷媒は、流体通路（34）を流れて第２ヘッダ集合管（70）の第１連通空間（71a）へ流入する。この第１連通空間（71a）へ流入した冷媒は、依然として気液二相状態のままである。第２ヘッダ集合管（70）において、第１連通空間（71a）へ流入した冷媒は、連通部材（75）の分流器（76）へ流入した後に三本の細径管（78a〜78c）へ分かれて流入し、第２〜第４連通空間（71b〜71d）へ分配される。各第２〜第４連通空間（71b〜71d）へ流入した冷媒は、対応する主熱交換部（51a〜51c）の各扁平管（33）へ分配される。各主熱交換部（51a〜51c）における各扁平管（33）の流体通路（34）へ流入した冷媒は、流体通路（34）を流れる間に室外空気から吸熱して蒸発し、ほぼガス単相状態となって第１ヘッダ集合管（60）の上側空間（61）で合流する。第１ヘッダ集合管（60）の上側空間（61）で合流した冷媒は、ガス側接続部材（85）から圧縮機（21）へ向かって流出してゆく。このように、暖房運転時の室外熱交換器（23）では、冷媒が下側熱交換領域（52）の補助熱交換部（52a）へ流入した後、上側熱交換領域（51）の各主熱交換部（51a〜51c）へ流入して吸熱する。
【００８３】
本実施形態の室外熱交換器（23）では、複数の主熱交換部（51a〜51c）が上下方向における片側（上側）へ集合して配列され、一つの補助熱交換部（52a）が反対側の片側（下側）へ配列されている。これにより、実施形態１と同様、主熱交換部と補助熱交換部が互いに隣接する箇所を最少の１箇所に抑えることができる。つまり、本実施形態の室外熱交換器（23）において、主熱交換部（51a〜51c）と補助熱交換部（52a）とが隣接する箇所は、上側熱交換領域（51）において最下に位置する第１主熱交換部（51a）と補助熱交換部（52a）とが隣接する箇所のみである。したがって、本実施形態においても、冷媒の熱ロスを最大限に抑制することができ、熱交換効率の低下を大幅に抑制することが可能である。
【００８４】
また、本実施形態の室外熱交換器（23）においても、液側接続部材（86）とガス側接続部材（85）の両方が第１ヘッダ集合管（60）に取り付けられているため、実施形態１と同様、膨張弁（24）や四方切換弁（22）から延びる配管の室外熱交換器（23）に対する接続位置を近接させることができ、室外熱交換器（23）の設置作業を簡素化することができる。
【００８５】
また、本実施形態の室外熱交換器（23）の第１ヘッダ集合管（60）において、下側空間（62）の下端寄りの位置に液側接続部材（86）が連通しているため、実施形態１と同様、室外熱交換器（23）が凝縮器として機能する場合は、密度の大きい液冷媒を下側空間（62）から液側接続部材（86）へ確実に送り込むことができる。更に、本実施形態の室外熱交換器（23）の第１ヘッダ集合管（60）において、上側空間（61）の上端寄りの位置にガス側接続部材（85）が連通しているため、実施形態１と同様、室外熱交換器（23）が蒸発器として機能する場合は、密度の小さいガス冷媒を上側空間（61）からガス側接続部材（85）へ確実に送り込むことができる。また、本実施形態の第２ヘッダ集合管（70）においては、第２〜第４連通空間（71b〜71d）の下端寄りの位置に連通部材（75）の細径管（78a〜78c）が連通しているため、室外熱交換器（23）が凝縮器として機能する場合は、密度の大きい液冷媒を第２〜第４連通空間（71b〜71d）から細径管（78a〜78c）へ確実に送り込むことができる。
【００８６】
また、本実施形態の室外熱交換器（23）では、室外熱交換器（23）が蒸発器として機能する場合（即ち、暖房運転の場合）、第１連通空間（71a）の冷媒が細径管（78a〜78c）を通る際に比較的大きな圧力損失が生じる。この圧力損失によって、冷媒の温度は高くなる。具体的には、細径管（78a〜78c）の長さや管径を調節することによって、細径管（78a〜78c）を通った冷媒の温度を０℃以上とすることができる。これにより、冷媒と熱交換した室外空気が０℃未満となって霜が発生するのを抑制することができる。つまり、室外熱交換器（23）における着霜を抑制できる。
【００８７】
−実施形態２の変形例−
実施形態２の室外熱交換器（23）についても実施形態１の変形例のように変形してもよい。
【００８８】
具体的に、本変形例の室外熱交換器（23）では、図９に破線で示す位置に扁平管（33）を設けないようにしてもよい。つまり、互いに隣接する第１主熱交換部（51a）および補助熱交換部（52a）において第１主熱交換部（51a）の最下に位置する扁平管（33）が省略されている。本変形例の室外熱交換器（23）では、第１主熱交換部（51a）と補助熱交換部（52a）の境界部（55）を挟んで上下に隣り合う扁平管（33）の間に形成された扁平管（33）の設けられない部分が、伝熱抑制構造（57）を構成している。これにより、第１主熱交換部（51a）の最下に位置する扁平管（33）と補助熱交換部（52a）の最上に位置する扁平管（33）との間隔Ｄ２が、他の扁平管（33）同士の間隔Ｄ１よりも広くなる。そのため、互いに隣接する第１主熱交換部（51a）の扁平管（33）と補助熱交換部（52a）の扁平管（33）との間における熱の移動を抑制することができる。つまり、隣り合う扁平管（33）同士の間で行われる冷媒同士の熱交換の量（熱ロス）を一層削減することができる。その結果、室外熱交換器（23）の熱交換効率の低下をより一層抑制することができる。
【００８９】
また、本変形例の室外熱交換器（23）では、図１０に示すように、黒く塗りつぶされた扁平管（33a）に冷媒を実質的に流通させないようにしてもよい。つまり、本変形例の室外熱交換器（23）における第１ヘッダ集合管（60）では、第１主熱交換部（51a）の最下に位置する扁平管（33a）の上下に仕切板（39）が設置されている。このため、上記の扁平管（33a）は実質的に冷媒が通過しない封止された状態となる。つまり、本変形例の室外熱交換器（23）では、上記扁平管（33a）の上下に設置された仕切板（39）の間に位置する部分が、上側熱交換領域（51）の第１主熱交換部（51a）と下側熱交換領域（52）の補助熱交換部（52a）との境界部（55）となっている。この境界部（55）には、実質的に封止された上記扁平管（33a）が存在している。そして、本変形例の室外熱交換器（23）では、実質的に封止された扁平管（33a）が伝熱抑制構造（57）を構成している。これにより、第１主熱交換部（51a）において冷媒が実質的に流通する扁平管（33）のうち最下に位置する扁平管（33）と補助熱交換部（52a）の最上に位置する扁平管（33）との間隔Ｄ２が、他の扁平管（33）同士の間隔Ｄ１よりも広くなる。そのため、互いに隣接する第１主熱交換部（51a）の扁平管（33）と補助熱交換部（52a）の扁平管（33）との間における熱の移動を抑制することができる。つまり、隣り合う扁平管（33）同士の間で行われる冷媒同士の熱交換の量（熱ロス）を一層削減することができる。その結果、室外熱交換器（23）の熱交換効率の低下をより一層抑制することができる。
【００９０】
《発明の実施形態３》
本発明の実施形態３について説明する。本実施形態は、上記実施形態１の室外熱交換器（23）における第２ヘッダ集合管（70）の構成を変更したものであり、それ以外の構成は実施形態１と同様である。本実施形態では、図１１および図１２を適宜参照しながら、室外熱交換器（23）の第２ヘッダ集合管（70）の構成についてのみ説明する。
【００９１】
図１２に示すように、室外熱交換器（23）の第２ヘッダ集合管（70）の内部空間は、二つの仕切板（39）によって左右に三つの連通空間（71a〜71c）に仕切られている。具体的に、第２ヘッダ集合管（70）の内部空間では、図１２において右側から順に、第１連通空間（71a）、第２連通空間（71b）および第３連通空間（71c）が形成されている。第１連通空間（71a）は、第３主熱交換部（51c）の扁平管（33）と第１補助熱交換部（52a）の扁平管（33）の端部に連通している。第２連通空間（71b）は、第２主熱交換部（51b）の扁平管（33）と第２補助熱交換部（52b）の扁平管（33）の端部に連通している。第３連通空間（71c）は、第１主熱交換部（51a）の扁平管（33）と第３補助熱交換部（52c）の扁平管（33）の端部に連通している。室外熱交換器（23）では、第３主熱交換部（51c）と第１補助熱交換部（52a）が対となり、第２主熱交換部（51b）と第２補助熱交換部（52b）が対となり、第１主熱交換部（51a）と第３補助熱交換部（52c）が対となる。
【００９２】
つまり、本実施形態の室外熱交換器（23）における第２ヘッダ集合管（70）には、上側熱交換領域（51）における各主熱交換部（51a〜51c）と下側熱交換領域（52）における各補助熱交換部（52a〜52c）とが各一で対となり、該対となる二つの熱交換部（51a〜51c,52a〜52c）に共通に対応した単一の連通空間（71a〜71c）が上記対の数と同数（三つ）形成されている。このように、第２ヘッダ集合管（70）では、対となる各主熱交換部（51a〜51c）および各補助熱交換部（52a）の扁平管（33）同士が第２ヘッダ集合管（70）の内部空間内で直接連通している。
【００９３】
冷房運転中における室外熱交換器（23）では、各主熱交換部（51a〜51c）において各扁平管（33）の流体通路（34）へ流入した冷媒は流体通路（34）を流れる間に室外空気へ放熱して凝縮し、その後に第２ヘッダ集合管（70）の対応する第１〜第３連通空間（71a〜71c）へ流入する。この各連通空間（71a〜71c）へ流入した冷媒は、そのまま対応する補助熱交換部（52a〜52c）の各扁平管（33）へ分配される。各補助熱交換部（52a）における各扁平管（33）の流体通路（34）へ流入した冷媒は、流体通路（34）を流れる間に室外空気へ放熱し、過冷却液状態となる。このように、冷房運転時の室外熱交換器（23）では、冷媒が上側熱交換領域（51）の各主熱交換部（51a〜51c）へ流入して放熱した後、下側熱交換領域（52）の各補助熱交換部（52a〜52c）へ流入して更に放熱する。
【００９４】
暖房運転中における室外熱交換器（23）では、各補助熱交換部（52a〜52c）において各扁平管（33）の流体通路（34）へ流入した冷媒は、流体通路（34）を流れて第２ヘッダ集合管（70）の対応する第１〜第３連通空間（71a〜71c）へ流入する。この各連通空間（71a〜71c）へ流入した冷媒は、そのまま対応する主熱交換部（51a〜51c）の各扁平管（33）へ分配される。各主熱交換部（51a〜51c）における各扁平管（33）の流体通路（34）へ流入した冷媒は、流体通路（34）を流れる間に室外空気から吸熱して蒸発し、ほぼガス単相状態となって第１ヘッダ集合管（60）の上側空間（61）で合流する。このように、暖房運転時の室外熱交換器（23）では、冷媒が下側熱交換領域（52）の各補助熱交換部（52a〜52c）へ流入した後、上側熱交換領域（51）の各主熱交換部（51a〜51c）へ流入して吸熱する。
【００９５】
本実施形態の室外熱交換器（23）においても、複数の主熱交換部（51a〜51c）が上下方向における片側（上側）へ集合して配列され、複数の補助熱交換部（52a〜52c）が反対側の片側（下側）へ配列されている。これにより、実施形態１と同様、主熱交換部と補助熱交換部が互いに隣接する箇所を最少の１箇所に抑えることができる。つまり、本実施形態の室外熱交換器（23）において、主熱交換部（51a〜51c）と補助熱交換部（52a）とが隣接する箇所は、上側熱交換領域（51）において最下に位置する第１主熱交換部（51a）と下側熱交換領域（52）において最上に位置する第３補助熱交換部（52c）とが隣接する箇所のみである。したがって、冷媒の熱ロスを最大限に抑制することができ、熱交換効率の低下を大幅に抑制することが可能である。
【００９６】
なお、第２ヘッダ集合管（70）において三つの連通空間（71a〜71c）の仕切り態様は上述したものに限らない。
【００９７】
また、本実施形態の室外熱交換器（23）においても、上記実施形態１の各変形例に示すように、上側熱交換領域（51）の第１主熱交換部（51a）と下側熱交換領域（52）の第３補助熱交換部（52c）との境界部（55）を挟んで上下に隣り合う扁平管（33）の間に伝熱抑制構造（57）を設けるようにしてもよい。
【００９８】
《発明の実施形態４》
本発明の実施形態４について説明する。本実施形態は、上記実施形態１の室外熱交換器（23）の構成を変更したものである。ここでは、本実施形態の室外熱交換器（23）について、図１３および図１４を適宜参照しながら、上記実施形態１と異なる点を説明する。
【００９９】
本実施形態の第２ヘッダ集合管（70）の内部空間は、上記実施形態１と同様、上下に五つの連通空間（71a〜71e）に仕切られている。そして、本実施形態の第２ヘッダ集合管（70）では、第１連通空間（71a）と第５連通空間（71e）が対となり、第２連通空間（71b）と第４連通空間（71d）が対となっている。そして、第２ヘッダ集合管（70）には、第２連通空間（71b）と第４連通空間（71d）とを接続する第１連通管（72）と、第１連通空間（71a）と第５連通空間（71e）とを接続する第２連通管（73）とが設けられている。つまり、本実施形態の室外熱交換器（23）では、第１主熱交換部（51a）と第３補助熱交換部（52c）が対となり、第２主熱交換部（51b）と第２補助熱交換部（52b）が対となり、第３主熱交換部（51c）と第１補助熱交換部（52a）が対となっている。
【０１００】
また、本実施形態の室外熱交換器（23）では、第１ヘッダ集合管（60）におけるガス側接続部材（85）の接続位置が変更されている。具体的に、ガス側接続部材（85）は、第１ヘッダ集合管（60）における上側空間（61）の中央部分（上下方向における中央）に開口している。さらに、図１４に示すように、本実施形態の室外熱交換器（23）では、第１ヘッダ集合管（60）の内径Ｂ１が第２ヘッダ集合管（70）の内径Ｂ２よりも大きい。このような構成にすることで、ガス側接続部材（85）から第１ヘッダ集合管（60）の上側空間（61）に流入したガス冷媒を三つの主熱交換部（51a〜51c）へ均等に分流させることができる。
【０１０１】
なお、本実施形態の室外熱交換器（23）では、上記実施形態１と同様、二つのヘッダ集合管（60,70）の内径を互いに同じにしてもよいし、ガス側接続部材（85）を第１ヘッダ集合管（60）における上側空間（61）の上端寄りの部分に開口させるようにしてもよい。
【０１０２】
また、本実施形態の室外熱交換器（23）においても、上記実施形態１の各変形例に示すように、上側熱交換領域（51）の第１主熱交換部（51a）と下側熱交換領域（52）の第３補助熱交換部（52c）との境界部（55）を挟んで上下に隣り合う扁平管（33）の間に伝熱抑制構造（57）を設けるようにしてもよい。
【０１０３】
《発明の実施形態５》
本発明の実施形態５について説明する。本実施形態は、上記実施形態１の室外熱交換器（23）の構成を変更したものである。ここでは、本実施形態の室外熱交換器（23）について、図１５〜１７を適宜参照しながら、上記実施形態１と異なる点を説明する。
【０１０４】
図１５に示すように、本実施形態の室外熱交換器（23）では、上記実施形態１の板状のフィン（36）に代えて、コルゲートフィンからなるフィン（35）が設けられている。図１６にも示すように、本実施形態のフィン（35）は、上下に蛇行する形状となっている。このフィン（35）は、上下に隣り合う扁平管（33）の間に配置され、扁平管（33）の平坦な側面にロウ付けで接合されている。図１７に示すように、フィン（35）では、上下に延びる平板状の部分に、伝熱を促進するためのルーバー（40）が形成されている。
【０１０５】
図１６および図１７に示すように、フィン（35）には、扁平管（33）よりも風下側に突出する突出板部（42）が形成されている。突出板部（42）は、フィン（35）の上側と下側にも突き出ている。図１７に示すように、室外熱交換器（23）では、扁平管（33）を挟んで上下に隣り合うフィン（35）の突出板部（42）が、互いに接触する。なお、図１６では、ルーバー（40）が省略されている。
【０１０６】
また、本実施形態の室外熱交換器（23）においても、上記実施形態１の各変形例に示すように、上側熱交換領域（51）の第１主熱交換部（51a）と下側熱交換領域（52）の第３補助熱交換部（52c）との境界部（55）を挟んで上下に隣り合う扁平管（33）の間に伝熱抑制構造（57）を設けるようにしてもよい。
【産業上の利用可能性】
【０１０７】
以上説明したように、本発明は、複数の扁平管がヘッダ集合管に接続された熱交換器およびそれを備えた空気調和機について有用である。
【符号の説明】
【０１０８】
10        空気調和機
20        冷媒回路
23        室外熱交換器（熱交換器）
33        扁平管
35        フィン
36        フィン
51        上側熱交換領域
51a,51b,51c  主熱交換部（熱交換部）
52        下側熱交換領域
52a,52b,52c  補助熱交換部（熱交換部）
55        境界部
57        伝熱抑制構造
60        第１ヘッダ集合管
61        上側空間
62        下側空間
62a,62b,62c  連通空間
70        第２ヘッダ集合管
71a,71b,71c,71d,71e  連通空間
72,73     連通管
75        連通部材
80,86     液側接続部材
85        ガス側接続部材
【手続補正２】
【補正対象書類名】特許請求の範囲
【補正対象項目名】全文
【補正方法】変更
【補正の内容】
【特許請求の範囲】
【請求項１】
それぞれが立設された第１ヘッダ集合管（60）および第２ヘッダ集合管（70）と、
上下に配列され、それぞれの一端が上記第１ヘッダ集合管（60）に接続され他端が上記第２ヘッダ集合管（70）に接続され、且つ、内部に冷媒の通路（34）が形成された複数の扁平管（33）と、
隣り合う上記扁平管（33）の間を空気が流れる複数の通風路（38）に区画する複数のフィン（36）とを備えている熱交換器であって、
上記複数の扁平管（33）は、上下に並ぶ複数の熱交換部に区分された上側熱交換領域（51）と、一つの熱交換部で構成されまたは上下に並ぶ複数の熱交換部に区分された下側熱交換領域（52）とに区分され、
上記第１ヘッダ集合管（60）には、その内部空間を上下に仕切ることによって、上記上側熱交換領域（51）に対応したガス冷媒の上側空間（61）と上記下側熱交換領域（52）に対応した液冷媒の下側空間（62）が形成され、
上記第２ヘッダ集合管（70）は、その内部空間を仕切ることによって、上記上側熱交換領域（51）における各熱交換部に対応した該熱交換部と同数の連通空間が形成され、且つ、上記下側熱交換領域（52）における各熱交換部に対応した該熱交換部と同数の連通空間が形成され、
上記第２ヘッダ集合管（70）には、上記上側熱交換領域（51）に対応した上記連通空間と上記下側熱交換領域（52）に対応した上記連通空間とを連通させる連通管が設けられている
ことを特徴とする熱交換器。
【請求項２】
それぞれが立設された第１ヘッダ集合管（60）および第２ヘッダ集合管（70）と、
上下に配列され、それぞれの一端が上記第１ヘッダ集合管（60）に接続され他端が上記第２ヘッダ集合管（70）に接続され、且つ、内部に冷媒の通路（34）が形成された複数の扁平管（33）と、
隣り合う上記扁平管（33）の間を空気が流れる複数の通風路（38）に区画する複数のフィン（36）とを備えている熱交換器であって、
上記複数の扁平管（33）は、上下に並ぶ複数の熱交換部に区分された上側熱交換領域（51）と、該上側熱交換領域（51）の熱交換部よりも少数の熱交換部に区分された下側熱交換領域（52）とに区分され、
上記第１ヘッダ集合管（60）には、その内部空間を上下に仕切ることによって、上記上側熱交換領域（51）に対応したガス冷媒の上側空間（61）と上記下側熱交換領域（52）に対応した液冷媒の下側空間（62）が形成され、
上記第２ヘッダ集合管（70）は、その内部空間を仕切ることによって、上記上側熱交換領域（51）における各熱交換部に対応した該熱交換部と同数の連通空間が形成され、且つ、上記下側熱交換領域（52）における各熱交換部に対応した該熱交換部と同数の連通空間が形成され、
上記第２ヘッダ集合管（70）には、上記上側熱交換領域（51）に対応した上記連通空間と上記下側熱交換領域（52）に対応した上記連通空間とを連通させる連通部材が設けられている
ことを特徴とする熱交換器。
【請求項３】
それぞれが立設された第１ヘッダ集合管（60）および第２ヘッダ集合管（70）と、
上下に配列され、それぞれの一端が上記第１ヘッダ集合管（60）に接続され他端が上記第２ヘッダ集合管（70）に接続され、且つ、内部に冷媒の通路（34）が形成された複数の扁平管（33）と、
隣り合う上記扁平管（33）の間を空気が流れる複数の通風路（38）に区画する複数のフィン（36）とを備えている熱交換器であって、
上記複数の扁平管（33）は、上下に並ぶ複数の熱交換部に区分された上側熱交換領域（51）と、一つの熱交換部で構成されまたは上下に並ぶ複数の熱交換部に区分された下側熱交換領域（52）とに区分され、
上記第１ヘッダ集合管（60）には、その内部空間を上下に仕切ることによって、上記上側熱交換領域（51）に対応したガス冷媒の上側空間（61）と上記下側熱交換領域（52）に対応した液冷媒の下側空間（62）が形成され、
上記上側熱交換領域（51）および下側熱交換領域（52）は、互いに複数且つ同数の上記熱交換部（51a〜51c,52a〜52c）に区分され、
上記上側熱交換領域（51）における各熱交換部（51a〜51c）と上記下側熱交換領域（52）における各熱交換部（52a〜52c）とが各一で対となる一方、
上記第２ヘッダ集合管（70）の内部空間には、該第２ヘッダ集合管（70）の上端から下端に亘って、該第２ヘッダ集合管（70）の軸方向に沿って延びる仕切板が設けられ、
上記第２ヘッダ集合管（70）には、その内部空間を上記仕切板で仕切ることによって、対となった上記上側熱交換領域（51）の熱交換部と上記下側熱交換領域（52）の熱交換部に共通に対応した単一の連通空間（71a〜71c）が上記対の数と同数形成され、
対となる上記上側熱交換領域（51）の熱交換部と上記下側熱交換領域（52）の熱交換部は、それぞれを構成する扁平管（33）が、上記連通空間と連通するように上記仕切板を貫通している
ことを特徴とする熱交換器。
【請求項４】
請求項１乃至３の何れか一つに記載の熱交換器（23）が設けられた冷媒回路（20）を備え、
上記冷媒回路（20）において冷媒を循環させて冷凍サイクルを行う
ことを特徴とする空気調和機。